(57)【要約】  通信機会を効率的かつ公平に割り当てることが出来る通信システムを提供することを目的とする。本発明にかかる通信システムは、同時通信が制限される複数の通信装置に含まれる通信装置（１０）から、ネットワーク（４０）への接続を要求する接続要求メッセージを受信した際に、接続要求メッセージが一時通信を要求するメッセージに該当する場合、通信装置（１０）がネットワーク（４０）へ一時的に接続することを許可する接続制御装置（２０）と、通信装置（１０）がネットワーク（４０）へ一時的に接続を許可されている間に、通信装置（１０）へ通信タイミングを示す通信可能タイミング通知メッセージを送信する通信タイミング制御装置（３０）と、を備えるものである。
2014184835.tif 000002
【特許請求の範囲】
【請求項１】
同時通信が制限される複数の通信装置に含まれる第１の通信装置から、ネットワークへの接続を要求する接続要求メッセージを受信した際に、前記接続要求メッセージが一時通信を要求するメッセージに該当する場合、前記第１の通信装置が前記ネットワークへ一時的に接続することを許可する接続制御装置と、
前記第１の通信装置が前記ネットワークへ一時的に接続を許可されている間に、前記第１の通信装置へ通信タイミングを示す通信可能タイミング通知メッセージを送信する通信タイミング制御装置と、を備える通信システム。
【請求項２】
前記一時通信は、前記第１の通信装置が前記ネットワークから所定の通信パラメータを取得するために行う通信である、請求項１に記載の通信システム。
【請求項３】
前記通信タイミング制御装置は、
前記第１の通信装置が前記ネットワークへ一時的に接続を許可されている間に、前記第１の通信装置から前記通信タイミングの取得を要求する通信タイミング要求メッセージを受信した場合、前記第１の通信装置へ前記通信可能タイミング通知メッセージを送信する、請求項１又は２に記載の通信システム。
【請求項４】
前記通信タイミング制御装置は、
前記第１の通信装置から前記通信タイミング要求メッセージを受信した場合、一括受付タイマを起動し、前記一括受付タイマが起動している間に前記複数の通信装置に含まれる第２の通信装置から前記通信タイミング要求メッセージを受信した場合、前記第２の通信装置の通信タイミングを算出するとともに、前記第１の通信装置の通信タイミングを更新する、請求項３に記載の通信システム。
【請求項５】
前記接続制御装置は、
前記第１の通信装置から、一時通信フラグが設定された前記接続要求メッセージを受信した場合、前記接続要求メッセージが前記一時通信を要求するメッセージに該当すると判定する、請求項１乃至４のいずれか１項に記載の通信システム。
【請求項６】
前記接続制御装置は、
前記第１の通信装置から前記接続要求メッセージを受信したタイミングに応じて、前記接続要求メッセージが前記一時通信を要求するメッセージに該当するか否かを判定する、請求項１乃至４のいずれか１項に記載の通信システム。
【請求項７】
前記接続制御装置は、
前記第１の通信装置から送信された前記接続要求メッセージが、前回前記第１の通信装置から送信された前記接続要求メッセージを受信してから所定の期間経過しているか否かに応じて、前記接続要求メッセージが前記一時通信を要求するメッセージに該当するか否かを判定する、請求項６に記載の通信システム。
【請求項８】
前記接続制御装置は、
前記第１の通信装置から、所定のタイミング以降に最初に送信された前記接続要求メッセージを受信した場合、前記接続要求メッセージが前記一時通信を要求するメッセージに該当すると判定する、請求項６に記載の通信システム。
【請求項９】
前記通信タイミング制御装置は、
前記同時通信が制限される複数の通信装置のうち代表通信装置へ前記代表通信装置の通信タイミングとともに前記複数の通信装置に含まれる他の通信装置の通信タイミングを示す前記通信可能タイミング通知メッセージを送信する、請求項１乃至３のいずれか１項に記載の通信システム。
【請求項１０】
前記通信タイミング制御装置は、
前記第１の通信装置から、前記複数の通信装置に含まれる第３の通信装置の通信タイミングの取得を要求する通信タイミング要求メッセージを受信した場合、前記第１の通信装置へ前記第３の通信装置の通信タイミングを通知する、請求項１乃至３のいずれか１項に記載の通信システム。
【請求項１１】
同時通信が制限される複数の通信装置に含まれる他の通信装置及び自装置のネットワークへの接続を行う通信タイミングを決定する制御手段と、
前記通信タイミングを前記他の通信装置へ通知する通信手段と、を備える通信装置。
【請求項１２】
起動した際に前記複数の通信装置に含まれる前記他の通信装置に対して起動を通知するメッセージを送信し、所定期間内に前記起動を通知するメッセージ対する応答メッセージを前記他の通信装置から受信しなかった場合に、代表通信装置として動作する請求項１１に記載の通信装置。
【請求項１３】
前記通信手段は、
起動した際に前記複数の通信装置に含まれる前記他の通信装置に対して起動を通知するメッセージを送信し、
前記制御手段は、
第１の所定期間内に前記起動を通知するメッセージに対する応答メッセージを前記他の通信装置から受信しなかった場合に、第２の所定期間内に前記起動を通知するメッセージを送信した前記他の通信装置の通信タイミングを決定する、請求項１１又は１２に記載の通信装置。
【請求項１４】
起動した際に前記複数の通信装置に含まれる前記他の通信装置に対して、自装置が持つ代表通信装置となるための優先度を含んだメッセージを送信し、前記他の通信装置から自装置が持つ優先度より高い優先度のメッセージを受信しなかった場合に、代表通信装置として動作する請求項１１に記載の通信装置。
【請求項１５】
起動した際に自装置が代表通信装置となるか否かをランダムに選択し、その後前記複数の通信装置に含まれる前記他の通信装置に対して選出結果を通知し、前記他の通信装置から代表通信装置となる通知を受信しない場合、自装置内で代表通信装置となることを選択していた場合に代表通信装置として動作する請求項１１に記載の通信装置。
【請求項１６】
同時通信が制限される複数の通信装置によるネットワークへの接続状況を監視する接続制御装置において、同時通信が制限される複数の通信装置に含まれる第１の通信装置から、ネットワークへの接続を要求する接続要求メッセージを受信した際に、前記接続要求メッセージが一時通信を要求するメッセージに該当するとして、前記第１の通信装置が前記ネットワークへ一時的に接続することを許可された場合、
前記第１の通信装置が前記ネットワークへ一時的に接続を許可されている間に、前記第１の通信装置へ通信可能タイミングを示す通信可能タイミング通知メッセージを送信する通信手段を備える、通信タイミング制御装置。
【請求項１７】
前記通信手段は、
前記第１の通信装置が前記ネットワークへ一時的に接続を許可されている間に、前記第１の通信装置から前記通信可能タイミングの取得を要求する通信タイミング要求メッセージを受信した場合、前記第１の通信装置へ前記通信可能タイミング通知メッセージを送信する、請求項１６に記載の通信タイミング制御装置。
【請求項１８】
前記第１の通信装置から前記通信タイミング要求メッセージを受信した場合、一括受付タイマを起動するタイマ管理手段と、
前記一括受付タイマが起動している間に前記複数の通信装置に含まれる第２の通信装置から通信タイミング要求メッセージを受信した場合、前記第２の通信装置の通信タイミングを算出するとともに、前記第１の通信装置の通信タイミングを更新する通信タイミング算出手段と、をさらに備える請求項１７に記載の通信タイミング制御装置。
【請求項１９】
前記通信手段は、
前記同時通信が制限される複数の通信装置のうち代表通信装置へ前記代表通信装置の通信タイミングとともに前記複数の通信装置に含まれる他の通信装置の通信タイミングを示す前記通信可能タイミング通知メッセージを送信する、請求項１６又は１７に記載の通信タイミング制御装置。
【請求項２０】
前記通信手段は、
前記第１の通信装置から、前記複数の通信装置に含まれる第３の通信装置の通信タイミングの取得を要求する前記通信タイミング要求メッセージを受信した場合、前記第１の通信装置へ前記第３の通信装置の通信タイミングを通知する、請求項１７に記載の通信タイミング制御装置。
【請求項２１】
同時通信が制限される複数の通信装置に含まれる第１の通信装置から、ネットワークへの接続を要求する接続要求メッセージを受信した際に、前記接続要求メッセージが、通信タイミング制御装置から通信可能タイミングを示す通信可能タイミング通知メッセージを受信するための一時通信を要求するメッセージに該当する場合、前記第１の通信装置が前記ネットワークへ一時的に接続することを許可する制御手段を備える、接続制御装置。
【請求項２２】
前記制御手段は、
前記第１の通信装置から、一時通信フラグが設定された前記接続要求メッセージを受信した場合、前記接続要求メッセージが前記一時通信を要求するメッセージに該当すると判定する、請求項２１に記載の接続制御装置。
【請求項２３】
前記制御手段は、
前記第１の通信装置から前記接続要求メッセージを受信したタイミングに応じて、前記接続要求メッセージが前記一時通信を要求するメッセージに該当するか否かを判定する、請求項２２に記載の接続制御装置。
【請求項２４】
前記制御手段は、
前記第１の通信装置から送信された前記接続要求メッセージが、前回前記第１の通信装置から送信された前記接続要求メッセージを受信してから所定の期間経過しているか否かに応じて、前記接続要求メッセージが前記一時通信を要求するメッセージに該当するか否かを判定する、請求項２３に記載の接続制御装置。
【請求項２５】
前記制御手段は、
前記第１の通信装置から、所定のタイミング以降に最初に送信された前記接続要求メッセージを受信した場合、前記接続要求メッセージが前記一時通信を要求するメッセージに該当すると判定する、請求項２３に記載の接続制御装置。
【請求項２６】
同時通信が制限される複数の通信装置によるネットワークへの接続状況を監視する接続制御装置において、同時通信が制限される複数の通信装置に含まれる第１の通信装置から、ネットワークへの接続を要求する接続要求メッセージを受信した際に、前記接続要求メッセージが一時通信を要求するメッセージに該当するとして、前記第１の通信装置が前記ネットワークへ一時的に接続することを許可された場合、
前記第１の通信装置が前記ネットワークへ一時的に接続を許可されている間に、前記第１の通信装置へ通信可能タイミングを示す通信可能タイミング通知メッセージを送信する、通信タイミング制御方法。
【請求項２７】
前記第１の通信装置が前記ネットワークへ一時的に接続を許可されている間に、前記第１の通信装置から前記通信可能タイミングの取得を要求する通信タイミング要求メッセージを受信した場合、前記第１の通信装置へ前記通信可能タイミング通知メッセージを送信する、請求項２６に記載の通信タイミング制御方法。
【請求項２８】
前記第１の通信装置から前記通信タイミング要求メッセージを受信した場合、一括受付タイマを起動するとともに前記第１の通信装置へ前記通信可能タイミング通知メッセージを送信し、
前記一括受付タイマが起動している間に前記複数の通信装置に含まれる第２の通信装置から送信された前記通信タイミング要求メッセージを受信した場合、前記第２の通信装置へ前記通信可能タイミング通知メッセージを送信するとともに、前記第１の通信装置の通信タイミングを更新し、
前記第１の通信装置へ、更新した通信タイミングを示す前記通信可能タイミング通知メッセージを送信する、請求項２７に記載の通信タイミング制御方法。
【請求項２９】
同時通信が制限される複数の通信装置に含まれる第１の通信装置から、ネットワークへの接続を要求する接続要求メッセージを受信し、
前記接続要求メッセージが、通信タイミング制御装置から通信可能タイミングを示す通信可能タイミング通知メッセージを受信するための一時通信を要求するメッセージに該当する場合、前記第１の通信装置が前記ネットワークへ一時的に接続することを許可する、接続制御方法。
【請求項３０】
同時通信が制限される複数の通信装置によるネットワークへの接続状況を監視する接続制御装置において、同時通信が制限される複数の通信装置に含まれる第１の通信装置から、ネットワークへの接続を要求する接続要求メッセージを受信した際に、前記接続要求メッセージが一時通信を要求するメッセージに該当するとして、前記第１の通信装置が前記ネットワークへ一時的に接続することを許可された場合、
前記第１の通信装置が前記ネットワークへ一時的に接続を許可されている間に、前記第１の通信装置へ通信可能タイミングを示す通信可能タイミング通知メッセージを送信するステップをコンピュータに実行させるプログラムが格納された非一時的なコンピュータ可読媒体。
【請求項３１】
同時通信が制限される複数の通信装置に含まれる第１の通信装置から、ネットワークへの接続を要求する接続要求メッセージを受信するステップと、
前記接続要求メッセージが、通信タイミング制御装置から通信可能タイミングを示す通信可能タイミング通知メッセージを受信するための一時通信を要求するメッセージに該当する場合、前記第１の通信装置が前記ネットワークへ一時的に接続することを許可するステップと、をコンピュータに実行させるプログラムが格納された非一時的なコンピュータ可読媒体。
【発明の詳細な説明】
【技術分野】
【０００１】
本発明は通信システム、通信タイミング制御装置、接続制御装置、通信タイミング制御方法及びプログラムに関し、例えば同時通信が制限される複数の通信装置に通信タイミングを通知する通信システム、通信タイミング制御装置、接続制御装置、通信タイミング制御方法及びプログラムに関する。
【背景技術】
【０００２】
近年、パーソナルコンピュータ、携帯電話、スマートフォン等、通信端末が多様化している。そのため、複数の通信端末を保持するユーザは、複数の通信端末を使用用途等に応じて使い分けることが一般的になっている。このような場合、ユーザは、通信端末毎に通信回線を契約する必要がある。例えば、携帯電話及びスマートフォンを所有するユーザは、それぞれの通信端末毎に通信事業者と通信回線を使用するための契約を行う必要がある。そのため、所有する通信端末の数が多くなるにつれて、主に通信回線契約料金の負担が大きくなる。さらに、Ｍ２Ｍ（Machine to Machine）通信が今後普及してきた場合、１企業もしくは１グループが管理するＭ２Ｍデバイスは多くなるため、管理するＭ２Ｍデバイス毎に必要となる通信回線契約料金の負担も大きくなる。【０００３】
例えば、移動通信ネットワークに関する標準化団体である３ＧＰＰが規定する非特許文献１には、移動通信ネットワークにおいてＭＴＣ（Machine Type Communication）デバイスを用いた通信を行うためのネットワーク構成が開示されている。ＭＴＣデバイスは、Ｍ２Ｍデバイスに相当する。【０００４】
上述したように、ユーザにおける通信回線契約料金の負担を軽減させるために、１回線契約において複数の通信端末の使用を許可するような通信サービスを提供することが考えられる。このような通信サービスは、複数のユーザが１回線を共有して使用することも可能とするため、新興国等のユーザへ安価に通信回線を提供する際にも有効である。
【先行技術文献】
【非特許文献】
【０００５】
【非特許文献１】3GPP TS 22.368 V11.3.0 (2011-09) 3rd Generation Partnership Project; Technical Specification Group Services and System Aspects; Service requirements for Machine-Type Communications(MTC);Stage 1 (Release 11)
【発明の概要】
【発明が解決しようとする課題】
【０００６】
しかし、１回線契約において複数の通信端末の使用を許可するような通信サービスを提供する場合に、１つの通信端末が回線を独占して使用しているもしくは長時間使用していると、他の通信端末もしくは他のユーザの通信機会が減少してしまうという問題が生じる。さらに、Ｍ２Ｍ通信においては、１企業等が管理するＭ２Ｍデバイスの数が多くなるため、１つの通信端末が回線を独占して使用しているもしくは長時間使用していると、通信機会が減少する通信端末数が増加するため、上述した問題の影響が大きくなる。【０００７】
本発明の目的は、上述した問題を解決するために通信機会を効率的かつ公平に割り当てることが出来る通信システム、通信タイミング制御装置、接続制御装置、通信タイミング制御方法及びプログラムを提供することにある。
【課題を解決するための手段】
【０００８】
本発明の第１の態様にかかる通信システムは、同時通信が制限される複数の通信装置に含まれる第１の通信装置から、ネットワークへの接続を要求する接続要求メッセージを受信した際に、前記接続要求メッセージが一時通信を要求するメッセージに該当する場合、前記第１の通信装置が前記ネットワークへ一時的に接続することを許可する接続制御装置と、前記第１の通信装置が前記ネットワークへ一時的に接続を許可されている間に、前記第１の通信装置へ通信タイミングを示す通信可能タイミング通知メッセージを送信する通信タイミング制御装置と、を備えるものである。【０００９】
本発明の第２の態様にかかる通信装置は、同時通信が制限される複数の通信装置に含まれる他の通信装置及び自装置のネットワークへの接続を行う通信タイミングを決定する制御部と、前記通信タイミングを前記他の通信装置へ通知する通信部と、を備えるものである。【００１０】
本発明の第３の態様にかかる通信タイミング制御装置は、同時通信が制限される複数の通信装置によるネットワークへの接続状況を監視する接続制御装置において、同時通信が制限される複数の通信装置に含まれる第１の通信装置から、ネットワークへの接続を要求する接続要求メッセージを受信した際に、前記接続要求メッセージが一時通信を要求するメッセージに該当するとして、前記第１の通信装置が前記ネットワークへ一時的に接続することを許可された場合、前記第１の通信装置が前記ネットワークへ一時的に接続を許可されている間に、前記第１の通信装置へ通信可能タイミングを示す通信可能タイミング通知メッセージを送信する通信部を備えるものである。【００１１】
本発明の第４の態様にかかる接続制御装置は、同時通信が制限される複数の通信装置に含まれる第１の通信装置から、ネットワークへの接続を要求する接続要求メッセージを受信した際に、前記接続要求メッセージが、通信タイミング制御装置から通信可能タイミングを示す通信可能タイミング通知メッセージを受信するための一時通信を要求するメッセージに該当する場合、前記第１の通信装置が前記ネットワークへ一時的に接続することを許可する制御部を備えるものである。【００１２】
本発明の第５の態様にかかる通信タイミング制御方法は、同時通信が制限される複数の通信装置によるネットワークへの接続状況を監視する接続制御装置において、同時通信が制限される複数の通信装置に含まれる第１の通信装置から、ネットワークへの接続を要求する接続要求メッセージを受信した際に、前記接続要求メッセージが一時通信を要求するメッセージに該当するとして、前記第１の通信装置が前記ネットワークへ一時的に接続することを許可された場合、前記第１の通信装置が前記ネットワークへ一時的に接続を許可されている間に、前記第１の通信装置へ通信可能タイミングを示す通信可能タイミング通知メッセージを送信するものである。【００１３】
本発明の第６の態様にかかる接続制御方法は、同時通信が制限される複数の通信装置に含まれる第１の通信装置から、ネットワークへの接続を要求する接続要求メッセージを受信し、前記接続要求メッセージが、通信タイミング制御装置から通信可能タイミングを示す通信可能タイミング通知メッセージを受信するための一時通信を要求するメッセージに該当する場合、前記第１の通信装置が前記ネットワークへ一時的に接続することを許可するものである。【００１４】
本発明の第７の態様にかかるプログラムは、同時通信が制限される複数の通信装置によるネットワークへの接続状況を監視する接続制御装置において、同時通信が制限される複数の通信装置に含まれる第１の通信装置から、ネットワークへの接続を要求する接続要求メッセージを受信した際に、前記接続要求メッセージが一時通信を要求するメッセージに該当するとして、前記第１の通信装置が前記ネットワークへ一時的に接続することを許可された場合、前記第１の通信装置が前記ネットワークへ一時的に接続を許可されている間に、前記第１の通信装置へ通信可能タイミングを示す通信可能タイミング通知メッセージを送信するステップをコンピュータに実行させるものである。
【発明の効果】
【００１５】
本発明により、通信機会を効率的かつ公平に割り当てることが出来る通信システム、通信タイミング制御装置、接続制御装置、通信タイミング制御方法及びプログラムを提供することが出来る。
【図面の簡単な説明】
【００１６】
【図１】実施の形態１にかかる通信システムの構成図である。
【図２】実施の形態２にかかる通信システムの構成図である。
【図３】実施の形態２にかかる接続制御装置の構成図である。
【図４】実施の形態２にかかる通信タイミング制御装置の構成図である。
【図５】実施の形態２にかかるＭ２Ｍデバイスの３Ｇコアネットワークへの接続処理の流れを示す図である。
【図６】実施の形態３にかかるＭ２Ｍデバイスの３Ｇコアネットワークへの接続処理の流れを示す図である。
【図７】実施の形態４にかかるＭ２Ｍデバイスの３Ｇコアネットワークへの接続処理の流れを示す図である。
【図８】実施の形態５にかかるＭ２Ｍデバイスが起動した際に実行する近隣Ｍ２Ｍデバイスとの通信処理の流れを示す図である。
【図９】実施の形態５にかかる通信タイミングの取得処理の流れを示す図である。
【図１０】実施の形態６にかかる通信タイミングの取得処理の流れを示す図である。
【図１１】実施の形態７にかかる通信タイミングの通知処理の流れを示す図である。
【図１２】実施の形態８にかかる通信タイミングの通知処理の流れを示す図である。
【発明を実施するための形態】
【００１７】
（実施の形態１）
以下、図面を参照して本発明の実施の形態について説明する。はじめに、図１を用いて本発明の実施の形態１にかかる通信システムの構成例について説明する。図１の通信システムは、通信装置１０、接続制御装置２０及び通信タイミング制御装置３０を有している。さらに、接続制御装置２０は、ネットワーク４０内に配置されている。
【００１８】
通信装置１０は、同時通信が制限される複数の通信装置に含まれる。同時通信が制限される複数の通信装置は、例えば、１つの回線契約を共有して通信することが出来る通信装置であって、１つの回線契約において同時に通信を行うことが出来る通信装置数が予め定められている通信装置である。１つの回線契約において同時に通信を行うことが出来る通信装置数は、１台であってもよく、１台よりも多い複数台であってもよい。また、同時通信が制限される複数の通信装置とは、非同時通信を行う複数の通信装置と称されてもよい。また、同時通信が制限される複数の通信装置の集合のことを非同時通信グループと称してもよい。
【００１９】
通信装置１０は、例えば、携帯電話端末、スマートフォン、タブレット端末、パーソナルコンピュータもしくはＭ２Ｍデバイス等であってもよい。
【００２０】
接続制御装置２０は、通信装置１０からネットワーク４０への接続を要求する接続要求メッセージを受信する。さらに、接続制御装置２０は、接続要求メッセージを受信した際に、接続要求メッセージが一時通信を要求するメッセージに該当する場合、通信装置１０の通信装置がネットワーク４０へ一時的に接続することを許可する。また、接続制御装置２０は、接続要求メッセージを受信した際に、非同時通信グループの他の通信装置の接続も含めて、受信した接続要求が非同時通信グループにおいて予め定められた同時通信可能数内であれば、通信装置１０の通信装置がネットワーク４０へ接続することを許可する。
【００２１】
通信装置１０は、例えば電源が投入された際に、ネットワークへ接続要求メッセージを送信してもよい。もしくは、通信装置は、一定時間通信を行わないことによって、ネットワークから離脱している状態において、通信を再開する際に、ネットワークへ接続要求メッセージを送信してもよい。
【００２２】
さらに、通信装置１０は、一時通信においてネットワーク４０側の装置から、所定の通信パラメータを取得する。所定のパラメータは、例えば、通信装置１０が音声データ、センサデータ（環境観測データ）、画像データもしくは動画データ等のユーザデータを通信する通信タイミングを示す情報であってもよい。
【００２３】
一時通信は、予め定められた時間の間通信を許可された通信である。つまり、通信装置１０は、予め定められた時間の間ネットワーク４０へ接続する。通信装置１０がネットワークへ接続する状況とは、通信装置がネットワークを介して通信を行うことを許可された状況である。
【００２４】
ネットワーク４０は、通信事業者によって管理されているネットワークであり、例えば、移動通信事業者によって管理されている移動通信ネットワーク（モバイルネットワーク）であってもよい。もしくは、ネットワーク４０は、固定通信事業者によって管理されているネットワークであってもよい。
【００２５】
通信タイミング制御装置３０は、通信装置１０がネットワーク４０へ接続を許可されている間に、通信装置１０へ通信タイミングを示す通信タイミング通知メッセージを送信する。通信装置１０がネットワーク４０へ接続を許可されている間とは、通信装置１０が一時通信を行う間である。図１においては、通信タイミング制御装置３０は、ネットワーク４０の外部に配置されている例を示している。つまり、通信タイミング制御装置３０は、接続制御装置２０とは異なるネットワークに配置されている例を示している。これは、通信タイミング制御装置３０と、接続制御装置２０とは異なる事業者によって管理されてもよいことを示している。また、通信タイミング制御装置３０と接続制御装置２０とは、図１の構成に限定されず、同一のネットワーク内に配置され、同一の事業者によって管理されてもよい。
【００２６】
以上説明したように、図１の通信システムを用いることにより、複数の通信装置において同時通信が制限されている場合であっても、接続制御装置２０は、それぞれの通信装置に対し一時通信を行うことを許可することが出来る。そのため、それぞれの通信装置は、一時通信が許可されている間に、通信タイミング制御装置３０からユーザデータ等を通信するタイミングを示す通信タイミングを取得することが出来る。これによって、同時通信が制限される複数の通信装置間は、ネットワーク４０を介して通信を行うために、公平に通信機会を受けることが出来る。
【００２７】
さらに、通信タイミング制御装置３０が一括して複数の通信装置の通信タイミングを管理することにより、通信タイミング制御装置３０は、効率的に複数の通信装置に対する通信タイミングを算出することが出来る。
【００２８】
（実施の形態２）
続いて、図２を用いて本発明の実施の形態２にかかる通信システムの構成例について説明する。本図においては、通信装置が接続するネットワークとして、３Ｇコアネットワーク４２を用いて説明する。３Ｇコアネットワーク４２は、３ＧＰＰにおいて規定されたネットワークであり、移動通信事業者等が管理するモバイルネットワークである。３ＧＰＰにおいては、移動通信端末をＵＥ（User Equipment）として定義している。本図においては、ＵＥの１つの例として、Ｍ２Ｍデバイス８０を用いて説明する。以下、ＵＥとしてＭ２Ｍデバイス８０を用いて説明するが、ＵＥは、Ｍ２Ｍデバイスに制限されず、携帯電話端末、スマートフォン、タブレット端末もしくはパーソナルコンピュータ等であってもよい。
【００２９】
また、Ｍ２Ｍデバイス８０は、例えばアプリケーションサーバ等の相手先通信装置へ、ユーザ操作を伴わずに自律的にデータを送信する装置である。Ｍ２Ｍデバイス８０は、例えば、通信機能を有する自動販売機であり、定期的に製品の格納状況をアプリケーションサーバへ通知してもよい。また、Ｍ２Ｍデバイス８０は、自動販売機に制限されず、その他のさまざまな装置、例えば家電製品等に通信機能が搭載された装置であってもよい。もしくは、Ｍ２Ｍデバイス８０は、ユーザが身に付ける腕時計等に通信機能が搭載された装置であってもよい。さらに、Ｍ２Ｍデバイス８０は、スマートメータや各種環境観測センサ等の、様々な情報を観測する機器に通信機能が搭載された装置であってもよい。
【００３０】
また、以下の説明においては３Ｇコアネットワーク４２を用いて説明を行うが、接続制御装置２０が配置されるネットワークは、３Ｇコアネットワーク４２に制限されず、例えば３Ｇコアネットワーク４２とは異なるモバイルネットワークであってもよい。
【００３１】
３Ｇコアネットワーク４２は、接続制御装置２０、ｅＮｏｄｅＢ５０、ＭＭＥ（Mobility Management Entity）６０及びＨＳＳ（Home Subscriber Server）７０を有している。ｅＮｏｄｅＢ５０は、３ＧＰＰにおいて規定された無線ネットワークであるＬＴＥ（Long Term Evolution）において用いられる基地局である。ｅＮｏｄｅＢ５０は、Ｍ２Ｍデバイス８０と無線回線を介して通信を行う。ｅＮｏｄｅＢ５０は、３Ｇコアネットワーク内においてＭＭＥ６０と接続する。
【００３２】
ＭＭＥ６０は、Ｍ２Ｍデバイス８０の移動管理を行う。例えば、ＭＭＥ６０は、Ｍ２Ｍデバイス８０が在圏している位置登録エリアを管理し、Ｍ２Ｍデバイス８０に対するパケット着信が発生した場合に、Ｍ２Ｍデバイス８０の呼び出しを行う。位置登録エリアは、例えばＴＡ（Tracking Area）と称されてもよい。
【００３３】
また、ＭＭＥ６０は、３Ｇコアネットワーク４２内において制御情報を送受信する。制御情報は、Ｍ２Ｍデバイス８０の呼接続もしくはＭ２Ｍデバイス８０に対する通信リソースを確保するために用いられるデータであり、Ｃ（Control）プレーンデータとも称される。通信リソースは、例えば、Ｍ２Ｍデバイス８０の通信に用いられるバッファ容量もしくはメモリ容量等である。これに対して、音声データ、画像データ等の通信装置間において送受信されるデータは、ユーザデータもしくはＵ（User）プレーンデータとも称される。ＭＭＥ６０は、３Ｇコアネットワーク４２内において、ｅＮｏｄｅＢ５０及びＨＳＳ７０と接続する。
【００３４】
ＨＳＳ７０は、Ｍ２Ｍデバイス８０の加入者情報を管理する。Ｍ２Ｍデバイス８０の加入者情報とは、Ｍ２Ｍデバイス８０の識別情報、Ｍ２Ｍデバイス８０が加入しているサービスの情報、各Ｍ２Ｍデバイス８０の所属する非同時通信グループの情報である非同時通信グループ識別子等である。ＨＳＳ７０は、Ｍ２Ｍデバイス８０が３Ｇコアネットワーク４２へ接続する際に、Ｍ２Ｍデバイス８０の加入者情報を用いて認証処理を行ってもよい。ＨＳＳ７０は、３Ｇコアネットワーク内においてＭＭＥ６０及び接続制御装置２０と接続する。
【００３５】
接続制御装置２０は、図１において説明したように、Ｍ２Ｍデバイス８０から３Ｇコアネットワーク４２への接続要求メッセージが送信された場合、接続要求メッセージが一時通信を要求するメッセージに該当するか否かを判定する。接続制御装置２０は、接続要求メッセージが一時通信を要求するメッセージに該当すると判定した場合、Ｍ２Ｍデバイス８０が３Ｇコアネットワーク４２へ一時的に接続することを許可する。
【００３６】
通信タイミング制御装置３０は、図１に説明したように、Ｍ２Ｍデバイス８０が３Ｇコアネットワーク４２へ一時的に接続を許可されている間に、Ｍ２Ｍデバイス８０へ通信タイミングを示す通信タイミング通知メッセージを送信する。また、通信タイミング制御装置３０は、非同時通信グループに属する複数のＭ２Ｍデバイス８０の通信タイミングを制御する。
【００３７】
また、図２においては、接続制御装置２０をＭＭＥ６０もしくはＨＳＳ７０とは異なる装置として説明したが、接続制御装置２０の有する機能は、ＭＭＥ６０もしくはＨＳＳ７０に搭載されてもよい。また、接続制御装置２０の一部の機能がＭＭＥ６０もしくはＨＳＳ７０に搭載されてもよい。
【００３８】
続いて、図３を用いて本発明の実施の形態２にかかる接続制御装置２０の構成例について説明する。接続制御装置２０は、制御部２１及び通信部２２を有している。
【００３９】
通信部２２は、非同時通信グループ内のいずれかのＭ２Ｍデバイス、例えばＭ２Ｍデバイス８０から送信された３Ｇコアネットワーク４２への接続を要求する接続要求メッセージを受信する。通信部２２は、ＨＳＳ７０を介して接続要求メッセージを受信する。通信部２２は、受信した接続要求メッセージを制御部２１へ出力する。さらに、通信部２２は、制御部２１において接続要求メッセージに対する応答メッセージが生成された場合、生成された応答メッセージをＨＳＳ７０へ送信する。
【００４０】
制御部２１は、通信部２２から出力された接続要求メッセージが、一時通信を要求するメッセージに該当するか否かを判定する。例えば、制御部２１は、一時通信フラグが設定された接続要求メッセージを受信した場合、受信した接続要求メッセージは一時通信を要求するメッセージに該当すると判定する。もしくは、接続要求メッセージには、一時通信フラグではなく、一時通信を要求するメッセージに該当することを示す識別子が設定されてもよい。
【００４１】
また、制御部２１は、一時通信フラグもしくは一時通信を要求するメッセージに該当することを示す識別子（以下、一時通信フラグ等と称する）が設定された場合においても、過去に同じＭ２Ｍデバイス８０から一時通信フラグ等が設定された接続要求メッセージが送信されてから所定の時間を経過していない場合、一時通信には該当しないもしくは一時通信を許可しないと判定してもよい。
【００４２】
また、制御部２１は、送信された接続要求メッセージが、過去に同じＭ２Ｍデバイスから送信されてから所定の期間を経過しているか否かを判定するために、Ｍ２Ｍデバイス毎にタイマを管理してもよい。具体的には、制御部２１は、Ｍ２Ｍデバイス毎に、過去に接続要求メッセージを受信した時刻情報を管理してもよい。もしくは、制御部２１は、Ｍ２Ｍデバイス毎に、過去に接続要求メッセージを受信してから現在までの経過時間情報を管理してもよい。
【００４３】
制御部２１は、判定結果に応じて、一時通信を許可することを通知する応答メッセージもしくは一時通信を許可しないことを通知する応答メッセージを生成し、生成した応答メッセージを通信部２２へ出力する。
【００４４】
さらに、制御部２１は、応答メッセージを用いて、一時通信を許可することを通知する際に、一時通信を許可する時間を併せて通知してもよい。例えば、制御部２１は、一時通信を要求するＭ２Ｍデバイスが多い場合には、それぞれのＭ２Ｍデバイスに通知する一時通信を許可する時間を短く設定し、一時通信を要求するＭ２Ｍデバイスが少ない場合には、それぞれのＭ２Ｍデバイスに通知する一時通信を許可する時間を長く設定してもよい。
【００４５】
続いて、図４を用いて本発明の実施の形態２にかかる通信タイミング制御装置３０の構成例について説明する。通信タイミング制御装置３０は、タイマ管理部３１、タイミング制御部３２及び通信部３３を有している。
【００４６】
通信部３３は、Ｍ２Ｍデバイス８０が３Ｇコアネットワーク４２へ一時的に接続を許可されている間に、Ｍ２Ｍデバイス８０へ通信タイミングを示す通信タイミング通知メッセージを送信する。通信タイミング通知メッセージにおいて示される通信タイミングは、例えば、Ｍ２Ｍデバイス８０が、ユーザデータ等を送受信するために３Ｇコアネットワーク４２へ接続するタイミングである。
【００４７】
通信部３３は、Ｍ２Ｍデバイス８０から送信された、通信タイミングの取得を要求する通信タイミング要求メッセージを受信した場合に、通信タイミング通知メッセージをＭ２Ｍデバイス８０へ送信してもよい。つまり、通信部３３は、Ｍ２Ｍデバイス８０から送信された通信タイミング要求メッセージを受信した場合に、Ｍ２Ｍデバイス８０が３Ｇコアネットワーク４２へ一時的に接続を許可されていると判定してもよい。
【００４８】
もしくは、通信部３３は、接続制御装置２０から、Ｍ２Ｍデバイス８０に対して一時的に３Ｇコアネットワーク４２に対する接続を許可したことを示す情報を受け取ってもよい。通信部３３は、接続制御装置２０からＭ２Ｍデバイス８０が一時的に３Ｇコアネットワーク４２に接続していることを通知された場合に、Ｍ２Ｍデバイス８０へ通信タイミング通知メッセージを送信してもよい。この時、通信部３３は、接続制御装置２０から、Ｍ２Ｍデバイス８０に対して許可した一時通信の時間に関する情報を受け取ってもよい。通信部３３は、Ｍ２Ｍデバイス８０に対して許可された一時通信の時間内に、Ｍ２Ｍデバイス８０へ通信タイミング通知メッセージを送信してもよい。
【００４９】
タイマ管理部３１は、Ｍ２Ｍデバイス８０から送信された通信タイミング要求メッセージを受信した場合、一括受付タイマを起動する。さらに、タイミング制御部３２は、一括受付タイマが起動している間に複数のＭ２Ｍデバイスから送信された通信タイミング要求メッセージを受信した場合、それぞれのＭ２Ｍデバイスに通知する通信タイミングを算出する。これによって、タイミング制御部３２は、複数のＭ２Ｍデバイスの通信タイミングをまとめて算出することが出来るため、効率的にＭ２Ｍデバイスの通信タイミングを算出することが出来る。一括受付タイマを起動してから、一括受付タイマが満了するまでの時間は、予め定められていてもよく、また、通信タイミング要求メッセージの数等に応じて、一括受付タイマ起動中に、動的に変更されてもよい。
【００５０】
また、タイミング制御部３２は、次のようにして通信タイミングを算出してもよい。例えば、タイミング制御部３２は、Ｍ２Ｍデバイス８０から送信された通信タイミング要求メッセージを受信すると、Ｍ２Ｍデバイス８０へ通信タイミング通知メッセージを送信するとともに、一括受付タイマを起動する。さらに、タイミング制御部３２は、Ｍ２Ｍデバイス８０とは異なる例えばＭ２Ｍデバイス９０から通信タイミング要求メッセージを受信すると、Ｍ２Ｍデバイス９０の通信タイミングを算出し、Ｍ２Ｍデバイス９０へ通信タイミング通知メッセージを送信するとともに、Ｍ２Ｍデバイス８０の通信タイミングを再度算出、つまり更新してもよい。
【００５１】
さらに、タイミング制御部３２は、Ｍ２Ｍデバイス８０及び９０の通信タイミングを算出する際に、Ｍ２Ｍデバイス８０及び９０に割り当てる通信時間を合わせて算出してもよい。具体的には、タイミング制御部３２は、一括受付タイマ起動中に通信タイミング要求メッセージを送信してきたＵＥの数が多い場合、それぞれのＵＥに割り当てる通信時間を短くし、通信タイミング要求メッセージを送信してきたＵＥの数が少ない場合、それぞれのＵＥに割り当てる通信時間を長くしてもよい。
【００５２】
そのため、タイミング制御部３２は、Ｍ２Ｍデバイス８０に割り当てる通信時間を算出した後に、Ｍ２Ｍデバイス９０から通信タイミング要求メッセージが送信された場合、Ｍ２Ｍデバイス８０に割り当てる通信時間を短くするようにＭ２Ｍデバイス８０の通信時間を更新してもよい。
【００５３】
もしくは、タイミング制御部３２は、例えば、一括受付タイマ起動中に５台のＭ２Ｍデバイスから通信タイミング要求メッセージが送信されると想定し、Ｍ２Ｍデバイス８０の通信時間を算出したとする。その後、一括受付タイマ起動中に、実際には２台のＭ２Ｍデバイスからしか通信タイミング要求メッセージが送信されてこなかった場合、タイミング制御部３２は、Ｍ２Ｍデバイス８０に割り当てる通信時間を長くするようにＭ２Ｍデバイス８０の通信時間を更新してもよい。
【００５４】
なお、タイミング制御部３２は、Ｍ２Ｍデバイス８０あるいは接続制御装置２０からＭ２Ｍデバイス８０に許可および与えられた一時通信に関する情報（特に一時通信の時間）を入手しなくても、Ｍ２Ｍデバイス８０の通信タイミングを算出して通知しても良い。
【００５５】
続いて、図５を用いて本発明の実施の形態２にかかるＭ２Ｍデバイス８０の３Ｇコアネットワーク４２への接続処理の流れについて説明する。はじめに、Ｍ２Ｍデバイス８０は、ｅＮｏｄｅＢ５０（図中ｅＮＢで表記）へ一時Ａｔｔａｃｈリクエストメッセージを送信する（Ｓ１１）。一時Ａｔｔａｃｈリクエストメッセージは、接続要求メッセージに相当する。Ｍ２Ｍデバイス８０は、例えば、電源を投入された際に、３Ｇコアネットワーク４２へ接続するために一時ＡｔｔａｃｈリクエストメッセージをｅＮｏｄｅＢ５０へ送信する。一時Ａｔｔａｃｈリクエストメッセージは、一時通信フラグ及びＭ２Ｍデバイス８０に関する加入者情報を含んでいる。また、Ｍ２Ｍデバイスが３Ｇコアネットワーク４２へ接続している状態をＡｔｔａｃｈ状態と称してもよい。特に、Ｍ２Ｍデバイスが一時通信を行うために３Ｇコアネットワーク４２へ接続している状態を一時Ａｔｔａｃｈ状態と称してもよい。さらに、Ｍ２Ｍデバイスが３Ｇコアネットワークから離脱している状態をＤｅｔａｃｈ状態もしくは非Ａｔｔａｃｈ状態と称してもよい。
【００５６】
次に、ｅＮｏｄｅＢ５０は、Ｍ２Ｍデバイス８０から送信された一時Ａｔｔａｃｈリクエストメッセージを、ＭＭＥ６０へ送信する（Ｓ１２）。次に、ｅＮｏｄｅＢ５０からＭＭＥ６０へ一時Ａｔｔａｃｈリクエストメッセージが送信されると、Ｍ２Ｍデバイス８０とＨＳＳ７０との間において認証処理が行われる。具体的には、ＨＳＳ７０は、ＭＭＥ６０を介してＭ２Ｍデバイス８０と認証処理に関するメッセージを通信する（Ｓ１３、Ｓ１４）。ＨＳＳ７０は、Ｍ２Ｍデバイス８０の加入者情報を用いてＭ２Ｍデバイス８０の認証処理を行う。Ｍ２Ｍデバイス８０の認証処理は、Ｍ２Ｍデバイス８０から通知された加入者情報が、ＨＳＳ７０に登録されている加入者情報と一致するか否か等を判定する処理であってもよい。認証処理は、Ｍ２Ｍデバイス８０の３Ｇコアネットワークへの接続を許可するか否かを判定する処理であってもよい。
【００５７】
次に、ＨＳＳ７０は、ステップＳ１３及びＳ１４においてＭ２Ｍデバイス８０の認証処理を完了すると、接続制御装置２０へ一時Ａｔｔａｃｈリクエストメッセージを送信する（Ｓ１５）。次に、接続制御装置２０は、一時Ａｔｔａｃｈリクエストメッセージを受信すると、Ｍ２Ｍデバイス８０から送信された一時Ａｔｔａｃｈリクエストメッセージが一時通信を要求するメッセージに該当するか否かを判定する（Ｓ１６）。接続制御装置２０は、一時Ａｔｔａｃｈリクエストメッセージに一時通信フラグが設定されているか否かに応じて一時Ａｔｔａｃｈリクエストメッセージが一時通信を要求するメッセージに該当するか否かを判定してもよい。もしくは、接続制御装置２０は、Ｍ２Ｍデバイス８０が送信した一時Ａｔｔａｃｈリクエストメッセージの送信履歴に応じて一時Ａｔｔａｃｈリクエストメッセージが一時通信を要求するメッセージに該当するか否かを判定してもよい。
【００５８】
次に、接続制御装置２０は、一時Ａｔｔａｃｈリクエストが一時通信を要求するメッセージに該当すると判定した場合、ＨＳＳ７０へ一時Ａｔｔａｃｈ許可応答メッセージを送信する（Ｓ１７）。次に、ＨＳＳ７０は、接続制御装置２０から送信された一時Ａｔｔａｃｈ許可応答メッセージをＭＭＥ６０へ送信する（Ｓ１８）。さらに、ＭＭＥ６０は、ＨＳＳ７０から送信された一時Ａｔｔａｃｈ許可応答メッセージをＭ２Ｍデバイス８０へ送信する（Ｓ１９）。
【００５９】
ここで、接続制御装置２０は、ＨＳＳ７０へ送信する一時Ａｔｔａｃｈ許可応答メッセージに一時通信を許可する通信時間に関する情報を含めてもよい。さらに、接続制御装置２０から送信された一時Ａｔｔａｃｈ許可応答メッセージがＭ２Ｍデバイス８０へ送信されることによって、Ｍ２Ｍデバイス８０は、一時通信が許可される通信時間を把握することが出来る。
【００６０】
次に、Ｍ２Ｍデバイス８０は、一時Ａｔｔａｃｈ許可応答メッセージを受信すると、当該メッセージにて通知された一時通信が許可される通信時間の間、一時通信タイマを起動する。また、Ｍ２Ｍデバイス８０は、一時通信タイマの満了とともに３Ｇコアネットワーク４２から離脱してＤｅｔａｃｈ状態へ遷移してもよい。
【００６１】
次に、Ｍ２Ｍデバイス８０は、一時通信タイマが起動している間に、通信タイミング制御装置３０へ通信タイミング要求メッセージを送信する（Ｓ２０）。Ｍ２Ｍデバイス８０は、ユーザデータ等を送受信することが出来るタイミングに関する情報を取得するために、通信タイミング制御装置３０へ通信タイミング要求メッセージを送信する。また、Ｍ２Ｍデバイス８０は、通信タイミング要求メッセージにおいて、通信可能時間に関する情報の取得もあわせて通信タイミング制御装置３０へ要求してもよい。
【００６２】
Ｍ２Ｍデバイス８０は、３Ｇコアネットワーク４２を介して通信タイミング要求メッセージを通信タイミング制御装置３０へ送信してもよい。もしくは、Ｍ２Ｍデバイス８０は、３Ｇコアネットワーク４２とは異なるネットワークを介して通信タイミング制御装置３０へ通信タイミング要求メッセージを送信してもよい。
【００６３】
次に、通信タイミング制御装置３０は、Ｍ２Ｍデバイス８０へ通信タイミング要求応答メッセージを送信する（Ｓ２１）。通信タイミング制御装置３０は、通信タイミング応答メッセージに、Ｍ２Ｍデバイス８０がユーザデータ等を通信するために３Ｇコアネットワーク４２へ接続（Ａｔｔａｃｈ）するタイミングを設定して送信する。さらに、通信タイミング制御装置３０は、通信タイミング応答メッセージに、ユーザデータ等を送受信するために許可する通信時間を設定して送信してもよい。
【００６４】
また、通信タイミング制御装置３０は、ステップＳ２０において通信タイミング要求メッセージを受信するとともに一括受付タイマを起動する。
【００６５】
以上説明したように、図５にかかるＭ２Ｍデバイス８０の３Ｇコアネットワーク４２への接続処理を実行することにより、Ｍ２Ｍデバイス８０は、非同時通信グループに属する他のＭ２Ｍデバイスと同時に通信をすることを制限されているが、一時通信を行う場合には、他のＭ２Ｍデバイスの接続状況によらず一時通信を許可される。そのため、許可された一時通信の間に、Ｍ２Ｍデバイス８０は、通信タイミング制御装置３０から、ユーザデータ等を送受信するための通信タイミングを取得することが出来る。
【００６６】
さらに、接続制御装置２０においてＭ２Ｍデバイスを識別するために用いられる識別情報は、３Ｇ網の加入者識別子であり、通信タイミング制御装置３０においてＭ２Ｍデバイスを識別するために用いられる識別子は、３Ｇ網の加入者識別子とは異なるサービス用端末識別子であってもよい。サービス用端末識別子は、３Ｇコアネットワークとは異なる外部ネットワークに配置された通信タイミング制御装置３０において管理する識別子である。この場合、予め接続制御装置２０あるいはＨＳＳ７０などと通信タイミング制御装置３０との間において、接続制御装置２０において用いる加入者識別子と、通信タイミング制御装置３０において用いられるＭ２Ｍデバイスを識別するために用いられる識別子とをマッピングする処理を実行しておいてもよい。さらに、接続制御装置２０及び通信タイミング制御装置３０のそれぞれが用いる識別子において識別されるＭ２Ｍデバイスと、当該Ｍ２Ｍデバイスが属する非同時通信グループとについても予めマッピングする処理を実行しておいてもよい。
【００６７】
（実施の形態３）
続いて、図６を用いて本発明の実施の形態３にかかるＭ２Ｍデバイスの３Ｇコアネットワーク４２への接続処理の流れについて説明する。本図においては、Ｍ２Ｍデバイス８０は、図５のステップＳ１９までの処理を実行済みであることを前提とする。つまり、Ｍ２Ｍデバイス８０は、３Ｇコアネットワーク４２へ一時的に接続を許可されている状態である。
【００６８】
はじめに、Ｍ２Ｍデバイス８０は、一時通信タイマが起動している間に、通信タイミング制御装置３０へ通信タイミング要求メッセージを送信する（Ｓ３１）。次に、通信タイミング制御装置３０は、Ｍ２Ｍデバイス８０へ通信タイミング要求応答メッセージを送信する（Ｓ３２）。ステップＳ３０及びＳ３１は、図５におけるステップＳ２０及びＳ２１と同様であるため詳細な説明を省略する。
【００６９】
次に、Ｍ２Ｍデバイス８０とは異なるＭ２Ｍデバイス９０が、接続制御装置２０との間において一時Ａｔｔａｃｈ処理（Ｓ３３）を実行する。ステップＳ３３の一時Ａｔｔａｃｈ処理は、図５のステップＳ１１〜Ｓ１９と同様であるため詳細な説明を省略する。Ｍ２Ｍデバイス９０は、一時Ａｔｔａｃｈ処理が完了すると、一時通信タイマを起動する。
【００７０】
次に、Ｍ２Ｍデバイス９０は、一時通信タイマが起動している間に、通信タイミング制御装置３０へ通信タイミング要求メッセージを送信する（Ｓ３４）。次に、通信タイミング制御装置３０は、Ｍ２Ｍデバイス９０へ通信タイミング要求応答メッセージを送信する（Ｓ３５）。通信タイミング制御装置３０は、通信タイミング要求応答メッセージに、Ｍ２Ｍデバイス９０がユーザデータ等を通信するために３Ｇコアネットワーク４２へＡｔｔａｃｈするタイミングを設定して送信する。さらに、通信タイミング制御装置３０は、通信タイミング応答メッセージに、ユーザデータ等を送受信するための通信時間を設定して送信してもよい。
【００７１】
ここで、通信タイミング制御装置３０は、一括受付タイマ起動中にＭ２Ｍデバイス９０から送信された通信タイミング要求メッセージを受け付けている。このような場合、通信タイミング制御装置３０は、Ｍ２Ｍデバイス９０に対して、３Ｇコアネットワーク４２へＡｔｔａｃｈするタイミング及びユーザデータ等を送受信するための通信時間を通知した後に、Ｍ２Ｍデバイス８０へ更新した通信時間を通知する（Ｓ３６）。例えば、通信タイミング制御装置３０は、後から通信タイミング要求メッセージを送信してきたＭ２Ｍデバイス９０に対して、早くＡｔｔａｃｈするタイミングを与えるために、Ｍ２Ｍデバイス８０にステップＳ３２において通知した通信時間を短くするように制御してもよい。このような場合、通信タイミング制御装置３０は、ステップＳ３２において通知した通信時間よりも短い通信時間をステップＳ３６においてＭ２Ｍデバイス８０へ通知する。
【００７２】
次に、Ｍ２Ｍデバイス８０は、一時通信タイマが満了した後に、ステップＳ３６において通知されたＡｔｔａｃｈタイミングにおいて、ＡｔｔａｃｈリクエストメッセージをＭＭＥ６０へ送信する（Ｓ３７）。ここでは、Ｍ２Ｍデバイス８０は、一時通信タイマの満了とともに３Ｇコアネットワーク４２から離脱した状態、つまりＤｅｔａｃｈを行っているとする。そのため、Ｍ２Ｍデバイス８０は、ＡｔｔａｃｈリクエストメッセージをＭＭＥ６０へ送信することによって、３Ｇコアネットワーク４２へ接続を行う。
【００７３】
次に、ＭＭＥ６０は、ＡｔｔａｃｈリクエストメッセージをＨＳＳ７０へ送信する（Ｓ３８）。次にＭ２Ｍデバイス８０とＨＳＳ７０との間において認証処理が行われる。具体的には、ＨＳＳ７０は、ＭＭＥ６０を介してＭ２Ｍデバイス８０と認証処理に関するメッセージを通信する（Ｓ３９、Ｓ４０）。ステップＳ３９及びＳ４０における認証処理は、ステップＳ１３及びＳ１４と同様である。
【００７４】
次に、ＨＳＳ７０は、Ｍ２Ｍデバイス８０に関する認証処理を完了すると、接続制御装置２０へ非同時性確認要求メッセージを送信する（Ｓ４１）。非同時性確認要求メッセージは、Ｍ２Ｍデバイス８０が属する非同時通信グループ内の他のＭ２ＭデバイスもしくはＵＥが３Ｇコアネットワーク４２とＡｔｔａｃｈ状態となっていないかを接続制御装置２０へ確認するために用いられるメッセージである。
【００７５】
接続制御装置２０は、ＨＳＳ７０から送信された非同時性確認要求メッセージを受信すると、Ｍ２Ｍデバイス８０が属する非同時通信グループ内の他のＭ２ＭデバイスもしくはＵＥが３Ｇコアネットワーク４２とＡｔｔａｃｈ状態となっていないかを確認する。
【００７６】
以上説明したように、通信タイミング制御装置３０が、一括受付タイマ起動中に複数のＭ２Ｍデバイスから送信された通信タイミング要求メッセージを受信した場合、通信タイミング要求メッセージを受け付けたＭ２Ｍデバイスの台数に応じて、通知するＡｔｔａｃｈタイミングもしくは割り当てる通信時間を調整することが出来る。
【００７７】
例えば、通信タイミング制御装置３０は、一括受付タイマ起動中に多くのＭ２Ｍデバイスから通信タイミング要求メッセージを受け付けた場合、それぞれのＭ２Ｍデバイスに通知するＡｔｔａｃｈタイミングの間隔を短く設定し、さらに、割り当てる通信時間も短く設定してもよい。また、通信タイミング制御装置３０は、一括受付タイマ起動中に少ないＭ２Ｍデバイスから通信タイミング要求メッセージを受け付けた場合、それぞれのＭ２Ｍデバイスに通知するＡｔｔａｃｈタイミングの間隔を、多くのＭ２Ｍデバイスから通信タイミング要求メッセージを受け付けた場合と比較して、長く設定してもよい。さらに、通信タイミング制御装置３０は、一括受付タイマ起動中に少ないＭ２Ｍデバイスから通信タイミング要求メッセージを受け付けた場合、それぞれのＭ２Ｍデバイスに割り当てる通信時間を、多くのＭ２Ｍデバイスから通信タイミング要求メッセージを受け付けた場合と比較して、長く設定してもよい。
【００７８】
（実施の形態４）
続いて、図７を用いて本発明の実施の形態４にかかるＭ２Ｍデバイス８０の３Ｇコアネットワーク４２への接続処理の流れについて説明する。はじめに、Ｍ２Ｍデバイス８０は、ｅＮｏｄｅＢ５０（図中ｅＮＢで表記）へＡｔｔａｃｈリクエストメッセージを送信する（Ｓ５１）。Ｍ２Ｍデバイス８０は、例えば、電源を投入された際に、３Ｇコアネットワーク４２へ接続するためにＡｔｔａｃｈリクエストメッセージをｅＮｏｄｅＢ５０へ送信する。図５においては、Ｍ２Ｍデバイス８０は、一時通信フラグを含む一時ＡｔｔａｃｈリクエストメッセージをｅＮｏｄｅＢ５０へ送信したが、本図においては、一時通信フラグを含まないＡｔｔａｃｈリクエストメッセージを送信する。
【００７９】
次に、ｅＮｏｄｅＢ５０は、Ｍ２Ｍデバイス８０から送信されたＡｔｔａｃｈリクエストメッセージを、ＭＭＥ６０へ送信する（Ｓ５２）。次に、ｅＮｏｄｅＢ５０からＭＭＥ６０へＡｔｔａｃｈリクエストメッセージが送信されると、Ｍ２Ｍデバイス８０とＨＳＳ７０との間において認証処理が行われる。具体的には、ＨＳＳ７０は、ＭＭＥ６０を介してＭ２Ｍデバイス８０と認証処理に関するメッセージを通信する（Ｓ５３、Ｓ５４）。ステップＳ５３及びＳ５４における認証処理は、図５のステップＳ１３及びＳ１４の認証処理と同様である。
【００８０】
次に、ＨＳＳ７０は、ステップＳ５３及びＳ５４においてＭ２Ｍデバイス８０の認証処理を完了すると、接続制御装置２０へ一時Ａｔｔａｃｈリクエストメッセージを送信する（Ｓ５５）。ＨＳＳ７０は、Ｍ２Ｍデバイス８０から送信されたＡｔｔａｃｈリクエストメッセージが、一時通信を要求するメッセージに該当するか否かを確認するために、接続制御装置２０へ一時Ａｔｔａｃｈリクエストメッセージを送信する（Ｓ５５）。次に、接続制御装置２０は、一時Ａｔｔａｃｈリクエストメッセージを受信すると、Ｍ２Ｍデバイス８０から送信された一時Ａｔｔａｃｈリクエストメッセージが一時通信を要求するメッセージに該当するか否かを判定する（Ｓ５６）。接続制御装置２０は、Ｍ２Ｍデバイス８０が送信したＡｔｔａｃｈリクエストメッセージの送信履歴に応じて、Ｍ２Ｍデバイス８０から送信されたＡｔｔａｃｈリクエストメッセージが一時通信を要求するメッセージに該当するか否かを判定してもよい。
【００８１】
例えば、接続制御装置２０は、ステップＳ５１において送信されたＡｔｔａｃｈリクエストが、過去に同じＭ２Ｍデバイス８０からＡｔｔａｃｈリクエストメッセージが送信されてから所定の時間を経過していない場合、ステップＳ５１において送信されたＡｔｔａｃｈリクエストメッセージは、一時通信を要求するメッセージに該当しないと判定してもよい。つまり、接続制御装置２０は、ステップＳ５１において送信されたＡｔｔａｃｈリクエストが、過去に同じＭ２Ｍデバイス８０からＡｔｔａｃｈリクエストメッセージが送信されてから所定の時間を経過している場合、ステップＳ５１において送信されたＡｔｔａｃｈリクエストメッセージは、一時通信を要求するメッセージに該当すると判定してもよい。
【００８２】
また、接続制御装置２０は、送信されたＡｔｔａｃｈリクエストメッセージが、過去に同じＭ２Ｍデバイスから送信されてから所定の期間を経過しているか否かを判定するために、Ｍ２Ｍデバイス毎のタイマを管理してもよい。具体的には、接続制御装置２０は、Ｍ２Ｍデバイス毎に、過去にＡｔｔａｃｈリクエストメッセージを受信した時刻情報を管理してもよい。もしくは、接続制御装置２０は、Ｍ２Ｍデバイス毎に、過去にＡｔｔａｃｈリクエストメッセージを受信してから現在までの経過時間情報を管理してもよい。
【００８３】
さらに、接続制御装置２０は、所定の時刻を経過後、最初に送信されたＡｔｔａｃｈリクエストメッセージが、一時通信を要求するメッセージに該当すると判定してもよい。
【００８４】
次に、接続制御装置２０は、ステップＳ５１において送信されたＡｔｔａｃｈリクエストメッセージが一時通信を要求するメッセージに該当すると判定した場合、一時Ａｔｔａｃｈ許可応答メッセージをＨＳＳ７０へ送信する（Ｓ５７）。次に、ＨＳＳ７０は、ＭＭＥ６０へ接続制御装置２０から送信された一時Ａｔｔａｃｈ許可応答メッセージを送信する（Ｓ５８）。次に、ＭＭＥ６０は、ステップＳ５２に対する応答メッセージとして、Ｍ２Ｍデバイス８０へＡｔｔａｃｈ許可応答メッセージを送信する（Ｓ５９）。
【００８５】
Ｍ２Ｍデバイス８０は、ユーザデータ等を通信するために３Ｇコアネットワーク４２へＡｔｔａｃｈするタイミングもしくはユーザデータ等を送受信するための通信時間を通信タイミング制御装置３０から通知されていない状態においてＡｔｔａｃｈ許可応答メッセージを受信した場合、一時通信タイマを起動する。一時通信タイマを起動する期間に関する情報は、Ａｔｔａｃｈ許可応答メッセージに設定されている。
【００８６】
また、Ｍ２Ｍデバイス８０は、Ａｔｔａｃｈ許可応答メッセージ中に一時通信の許可であることが判断できる情報、例えば一時通信タイマに関する情報や一時通信許可フラグなどを確認した場合、一時通信タイマを起動してもよい。
【００８７】
ステップＳ６０及びＳ６１は、図５のステップＳ２０及びＳ２１と同様であるため詳細な説明を省略する。
【００８８】
以上説明したように、図７におけるＭ２Ｍデバイス８０は、一時通信フラグを設定しない、通常のＡｔｔａｃｈリクエストを送信する。ここで、Ｍ２Ｍデバイス８０が一時通信を要求しているか否かに関しては、接続制御装置２０が判定することが出来る。そのため、Ｍ２Ｍデバイス８０は、一時通信を行う際に、既存のメッセージであるＡｔｔａｃｈリクエストメッセージを用いることが出来るため、一時通信を行うために新たな設定を行う必要がない。
【００８９】
（実施の形態５）
続いて、図８を用いて本発明の実施の形態５にかかるＭ２Ｍデバイスが起動した際に実行する近隣Ｍ２Ｍデバイスとの通信処理の流れについて説明する。図８においては、非同時通信グループに属するそれぞれのＭ２Ｍデバイスが通信タイミング制御装置３０から通信タイミングを取得するのではなく、代表Ｍ２Ｍデバイスが非同時通信グループ内の他のＭ２Ｍデバイスの通信タイミングを取得することを前提とする。
【００９０】
はじめに、Ｍ２Ｍデバイス９０が、使用者によって電源スイッチが押下される等によって起動する（Ｓ７１）。次に、Ｍ２Ｍデバイス９０は、起動直後に代表者タイマを起動する（Ｓ７２）。代表者タイマは、非同時通信グループに属する複数のＭ２Ｍデバイスの中において代表Ｍ２Ｍデバイスを決定するために用いられるタイマである。次に、Ｍ２Ｍデバイス９０は、代表者タイマが起動している間に、近隣のＭ２Ｍデバイスに対して近隣調査メッセージを送信する（Ｓ７３）。Ｍ２Ｍデバイス９０は、送信先を指定せずに近隣調査メッセージを任意の近隣のＭ２Ｍデバイスに対して送信してもよい。つまり、Ｍ２Ｍデバイス９０は、ブロードキャストメッセージとして近隣調査メッセージを近隣のＭ２Ｍデバイスに対して送信してもよい。もしくは、Ｍ２Ｍデバイス９０は、非同時通信グループ内のＭ２Ｍデバイスに関する情報を有している場合、非同時通信グループ内のＭ２Ｍデバイスを送信先として指定して、それぞれのＭ２Ｍデバイスに対して近隣調査メッセージを送信してもよい。
【００９１】
ここで、Ｍ２Ｍデバイス９０の近隣に起動中のＭ２Ｍデバイスが存在しない場合、Ｍ２Ｍデバイス９０は、近隣調査メッセージに対する応答メッセージを受信しない。次に、Ｍ２Ｍデバイス９０は、所定時間経過後、代表者タイマを停止する（Ｓ７４）。ここで、Ｍ２Ｍデバイス９０は、近隣調査メッセージ対して、他のＭ２Ｍデバイスから応答メッセージを受信しなかったことにより、非同時通信グループ内の代表Ｍ２Ｍデバイスとして動作する。
【００９２】
次に、代表Ｍ２ＭデバイスとなったＭ２Ｍデバイス９０は、参加受付タイマを起動する（Ｓ７５）。ここで、Ｍ２Ｍデバイス８０が起動し（Ｓ７６）、代表者タイマを起動したとする（Ｓ７７）。Ｍ２Ｍデバイス８０は、Ｍ２Ｍデバイス９０と同じ非同時通信グループに属するＭ２Ｍデバイスである。この時、Ｍ２Ｍデバイス８０は、近隣のＭ２Ｍデバイスに対して近隣調査メッセージを送信する（Ｓ７８）。
【００９３】
次に、Ｍ２Ｍデバイス９０は、参加受付タイマ起動中に近隣のＭ２Ｍデバイスから送信された近隣調査メッセージを受信した場合、自装置が代表Ｍ２Ｍデバイスであることを通知するために、代表者情報通知メッセージをＭ２Ｍデバイス８０へ送信する（Ｓ７９）。
【００９４】
次に、Ｍ２Ｍデバイス８０は、代表者タイマ起動中に、近隣調査メッセージに対する応答メッセージとしてＭ２Ｍデバイス９０から送信された代表者情報通知メッセージを受信した場合、自装置は代表Ｍ２Ｍデバイスではないと判定して、代表者タイマを強制的に停止する（Ｓ８０）。
【００９５】
次に、Ｍ２Ｍデバイス９０は、ステップＳ７５において参加受付タイマを起動後、所定時間経過後に参加受付タイマを停止する（Ｓ８１）。
【００９６】
なお、Ｍ２Ｍデバイス９０の代表者タイマ満了期間前にＭ２Ｍデバイス８０が起動して近隣調査を行った場合も、ステップＳ７８、Ｓ７９と同様の処理がおこなわれ、Ｍ２Ｍデバイス９０が代表者となってもよい。すなわちこの場合、Ｍ２Ｍデバイス９０は、代表者タイマ満了期間前に最初に近隣調査を行った端末であるために代表者となる。
【００９７】
さらに、代表者の決定方法は、図８の方法に限らず、どのような方法でもよい。例えば、Ｍ２Ｍデバイス間の代表者優先度（デバイススペックやサービス種類などにより優先的に代表者になれるか否かの情報）の送受信などによって決定されてもよい。具体的には、起動後に近隣調査を行った結果、他のＭ２Ｍデバイスから自身より高い優先度を持っている情報を応答として受信した場合、他のＭ２Ｍを代表者とする。一方で、近隣調査の結果、自身が最も高い優先度を持っている場合、代表者となる。また、優先度交換に基づき代表者となった後に、自身より高い優先度を持つＭ２Ｍデバイスからの近隣調査メッセージを受信した場合、近隣調査メッセージの送信元Ｍ２Ｍデバイスに代表者を譲る。また別の例では、一定期間内に起動したＭ２Ｍデバイス間の送受信によりランダムに代表者を決定しても良い。具体的には、各Ｍ２Ｍデバイス内において乱数を用いて自身が代表者となるか否かを選択する。決定後、Ｍ２Ｍデバイス間で互いに選択結果を送受信し、代表者が決定したか否かを判断する。もし代表者が重複していたり、誰も代表者にならなかったりした場合は、代表者が決定できるまで同ランダム選択動作を繰り返す。
【００９８】
また、いずれの代表者の決定方法においても、代表者は１台のＭ２Ｍデバイスに限らず、複数台のＭ２Ｍデバイスが選出されてもよい。複数台の数は、非同時通信グループで許可されている同時通信可能数に従っても良いし、それと無関係でもよい。
【００９９】
このようにして、Ｍ２Ｍデバイス同士が互いに通信を行うことによって、非同時通信グループに属する複数のＭ２Ｍデバイスにおける代表Ｍ２Ｍデバイスを決定することが出来る。これ以降は、Ｍ２Ｍデバイス９０が、代表Ｍ２Ｍデバイスとして、Ｍ２Ｍデバイス９０の通信タイミングとともにＭ２Ｍデバイス８０の通信タイミングも通信タイミング制御装置３０から取得する。
【０１００】
Ｍ２Ｍデバイス９０とＭ２Ｍデバイス８０との間の通信は、無線ＬＡＮ通信が用いられてもよい。もしくは、Ｍ２Ｍデバイス９０とＭ２Ｍデバイス８０との間の通信は、赤外線通信、Ｂｌｕｅｔｏｏｔｈ（登録商標）、Ｚｉｇｂｅｅ（登録商標）等の近距離無線通信が用いられてもよい。
【０１０１】
続いて、図９を用いて本発明の実施の形態５にかかる通信タイミングの取得処理の流れについて説明する。本図においては、図８の処理が実行され、Ｍ２Ｍデバイス９０が代表Ｍ２Ｍデバイスになっていることを前提とする。
【０１０２】
はじめに、Ｍ２Ｍデバイス９０は、３Ｇコアネットワーク４２へ接続するためにＡｔｔａｃｈリクエストメッセージをｅＮｏｄｅＢ５０へ送信する（Ｓ９１）。さらに、Ｍ２Ｍデバイス９０は、Ａｔｔａｃｈリクエストメッセージを送信するとともに通信タイマを起動する。以降、ステップＳ９２〜Ｓ９４は、図７のステップＳ５２〜Ｓ５４と同様であるため詳細な説明を省略する。
【０１０３】
次に、ＨＳＳ７０は、Ｍ２Ｍデバイス９０に関する認証処理を完了した後に、接続制御装置２０へＡｔｔａｃｈリクエストメッセージを送信する（Ｓ９５）。次に、接続制御装置２０は、Ｍ２Ｍデバイス９０のＡｔｔａｃｈを受け付けることが出来るか否かを判定する（Ｓ９６）。接続制御装置２０は、Ｍ２Ｍデバイス９０が属する非同時通信グループ内の他のＭ２Ｍデバイスが３Ｇコアネットワーク４２に接続していない場合に、Ｍ２Ｍデバイス９０のＡｔｔａｃｈを受け付けることが出来ると判定する。もしくは、接続制御装置２０は、ステップＳ９６において、Ｍ２Ｍデバイス９０から送信されたＡｔｔａｃｈリクエストメッセージが一時通信を要求するメッセージに該当するか否かを判定してもよい。接続制御装置２０は、Ｍ２Ｍデバイス９０が属する非同時通信グループ内の他のＭ２Ｍデバイスが３Ｇコアネットワーク４２に接続している場合に、Ｍ２Ｍデバイス９０のＡｔｔａｃｈを受け付けることが出来ないと判定する。ここで、接続制御装置２０は、ステップＳ９６において、Ｍ２Ｍデバイス９０のＡｔｔａｃｈを受け付けることが出来ると判定した場合、その判定結果をＭ２Ｍデバイス９０へ明示的に通知してもよく、通知しなくてもよい。
【０１０４】
次に、Ｍ２Ｍデバイス９０は、３Ｇコアネットワーク４２へ接続し、Ａｔｔａｃｈ状態となった場合、通信タイミング制御装置３０へ非同時通信グループ情報通知メッセージを送信する（Ｓ９７）。Ｍ２Ｍデバイス９０は、非同時通信グループ内にＭ２Ｍデバイス９０及びＭ２Ｍデバイス８０が存在することを設定して、非同時通信グループ情報通知メッセージを通信タイミング制御装置３０へ送信する（Ｓ９７）。
【０１０５】
次に、通信タイミング制御装置３０は、非同時通信グループ情報通知メッセージに対する応答メッセージとして、非同時通信グループ情報通知応答メッセージをＭ２Ｍデバイス９０へ送信する（Ｓ９８）。通信タイミング制御装置３０は、Ｍ２Ｍデバイス８０及びＭ２Ｍデバイス９０の通信タイミングを設定して、非同時通信グループ情報通知応答メッセージをＭ２Ｍデバイス９０へ送信する。
【０１０６】
Ｍ２Ｍデバイス９０は、非同時通信グループ情報通知応答メッセージを受信後に、通信タイマを停止する。さらに、Ｍ２Ｍデバイス９０は、通信タイマを停止するとともに３Ｇコアネットワーク４２から離脱し、Ｄｅｔａｃｈ状態へ遷移する。Ｍ２Ｍデバイス９０は、非同時通信グループ情報通知応答メッセージを受信したことを契機に通信タイマを停止してもよく、通信タイマ起動後に所定時間経過したことを契機に通信タイマを停止してもよい。Ｍ２Ｍデバイス９０は、通信タイマ起動後に所定期間経過したことを契機に通信タイマを停止する場合、Ａｔｔａｃｈリクエストを送信してから、非同時通信グループ情報通知応答メッセージを受信するまでに想定される時間以上の時間を設定して通信タイマを起動する。
【０１０７】
また、Ｍ２Ｍデバイス９０は、受信した非同時通信グループ情報通知応答メッセージに含まれる通信タイミングに従って、現在のＡｔｔａｃｈ状態を継続（延長）してもよい。
【０１０８】
次に、Ｍ２Ｍデバイス９０は、Ｍ２Ｍデバイス８０へ通信タイミング通知メッセージを送信する（Ｓ９９）。通信タイミング通知メッセージは、非同時通信グループ情報通知応答メッセージに設定されているＭ２Ｍデバイス８０の通信タイミングをＭ２Ｍデバイス８０へ通知するために用いられる。
【０１０９】
なお、Ｍ２Ｍデバイス９０は、自身のＡｔｔａｃｈ状態が続く場合、Ａｔｔａｃｈ状態中においてＭ２Ｍデバイス８０へ通信タイミング通知メッセージを送信してもよい。
【０１１０】
次に、Ｍ２Ｍデバイス８０は、通信タイミング通知に設定された通信タイミングに基づいて、ｅＮｏｄｅＢ５０へＡｔｔａｃｈリクエストメッセージを送信する（Ｓ１００）。
【０１１１】
以上説明したように、本発明の実施の形態５にかかる通信においては、非同時通信グループに属する複数のＭ２Ｍデバイスのうち、代表Ｍ２Ｍデバイスが通信タイミング制御装置３０から、自装置の通信タイミングとともに他のＭ２Ｍデバイスの通信タイミングを取得する。
【０１１２】
そのため、通信タイミング制御装置３０は、非同時通信グループに属する複数のＭ２Ｍデバイス毎に通信タイミング要求を受信して通信タイミングを算出するのではなく、一度にまとめて複数のＭ２Ｍデバイスの通信タイミングを算出することが出来る。そのため、通信タイミング制御装置３０は、効率的にそれぞれのＭ２Ｍデバイスの通信タイミングを算出することが出来る。さらに、通信タイミング制御装置３０は、Ｍ２Ｍデバイスから通信タイミングの取得を目的としたメッセージが送信される回数が減少するため、処理負担も軽減される。
【０１１３】
さらに、代表Ｍ２Ｍデバイスが、他のＭ２Ｍデバイスの通信タイミングに関する問い合わせを行うため、３Ｇコアネットワーク４２内の通信量を削減することもできる。
【０１１４】
（実施の形態６）
続いて、図１０を用いて本発明の実施の形態６にかかる通信タイミングの取得処理の流れについて説明する。図１０のＭ２Ｍデバイス８０は、図５の処理を実行していることを前提とする。つまり、Ｍ２Ｍデバイス８０は、通信タイミング制御装置３０から通信タイミングを取得し、取得した通信タイミングに基づいて３Ｇコアネットワーク４２を用いて通信を行っている最中とする（Ｓ１１１）。
【０１１５】
ここで、Ｍ２Ｍデバイス８０は、通信タイミング制御装置３０から通信タイミングを取得する際に、通信時間に関する情報も取得している。そのため、Ｍ２Ｍデバイス８０は、通信タイミング制御装置３０から取得した通信時間に基づいて通信タイマを起動している。
【０１１６】
次に、Ｍ２Ｍデバイス９０に電源が投入されＭ２Ｍデバイス９０が起動した場合や、起動中ではあるがＤｅｔａｃｈ状態であるＭ２Ｍデバイス９０がなんらかのイベント（例えば即座に送信すべき緊急データ発生や逆にしばらく通信が不要である状態になった場合）により通信タイミングの調整を要すると判断した場合、Ｍ２Ｍデバイス９０は、Ａｔｔａｃｈ中のＭ２Ｍデバイス８０へ調整要求メッセージを送信する（Ｓ１１２）。調整要求メッセージは、非Ａｔｔａｃｈ状態のＭ２Ｍデバイスが、Ａｔｔａｃｈ状態のＭ２Ｍデバイスを経由して、通信タイミングを取得する際に用いられるメッセージである。
【０１１７】
なお、Ｍ２Ｍデバイス９０が電源投入により起動した場合、図８の処理と同様に近隣調査を行う形で現在Ａｔｔａｃｈ中のＭ２Ｍデバイス８０を発見した後に、調整要求メッセージを送信しても良い。この場合、現在Ａｔｔａｃｈ中のＭ２Ｍデバイス８０は、Ｍ２Ｍデバイス９０からの近隣調査に対して、現在自分がＡｔｔａｃｈ中であることを応答する。
【０１１８】
Ｍ２Ｍデバイス９０とＭ２Ｍデバイス８０との間の通信は、無線ＬＡＮ通信が用いられてもよい。もしくは、Ｍ２Ｍデバイス９０とＭ２Ｍデバイス８０との間の通信は、赤外線通信、Ｂｌｕｅｔｏｏｔｈ（登録商標）、Ｚｉｇｂｅｅ（登録商標）等の近距離無線通信が用いられてもよい。
【０１１９】
次に、Ｍ２Ｍデバイス８０は、通信タイミング制御装置３０へ調整要求メッセージを送信する（Ｓ１１３）。Ｍ２Ｍデバイス８０は、調整要求メッセージに、Ｍ２Ｍデバイス９０の識別情報を設定して、通信タイミング制御装置３０へ送信する。次に、通信タイミング制御装置３０は、調整要求メッセージを受信すると、応答メッセージとして、調整要求応答メッセージをＭ２Ｍデバイス８０へ送信する（Ｓ１１４）。通信タイミング制御装置３０は、Ｍ２Ｍデバイス９０の通信タイミングを設定して調整要求応答メッセージをＭ２Ｍデバイス８０へ送信する。
【０１２０】
次に、Ｍ２Ｍデバイス８０は、調整結果通知メッセージをＭ２Ｍデバイス９０へ送信する（Ｓ１１５）。Ｍ２Ｍデバイス８０は、調整要求応答メッセージに設定されたＭ２Ｍデバイス９０の通信タイミングを設定して、調整結果通知メッセージをＭ２Ｍデバイス９０へ送信する。
【０１２１】
次に、通信タイミング制御装置３０は、Ｍ２Ｍデバイス８０に割り当てている通信時間を更新して、更新した通信時間を設定して通信許可時間通知メッセージをＭ２Ｍデバイス８０へ送信する（Ｓ１１６）。例えば、Ｍ２Ｍデバイス９０の通信が緊急を要する場合に、通信タイミング制御装置３０は、Ｍ２Ｍデバイス９０へより早く通信機会を付与すると判定したとする。このような場合、通信タイミング制御装置３０は、Ｍ２Ｍデバイス８０に割り当てている通信時間を短縮することによって、Ｍ２Ｍデバイス９０に対してより早い通信機会を付与することが出来る。そのため、通信タイミング制御装置３０は、通信時間を短縮するように通信時間を更新し、短縮した通信時間をＭ２Ｍデバイス８０へ通知するために、通信許可時間通知メッセージをＭ２Ｍデバイス８０へ送信してもよい。
【０１２２】
もしくは、Ｍ２Ｍデバイス９０の通信が緊急を要する通信ではない場合、通信タイミング制御装置３０は、Ｍ２Ｍデバイス９０に対する通信機会の付与を遅らせると判定してもよい。このような場合、通信タイミング制御装置３０は、Ｍ２Ｍデバイス８０に割り当てている通信時間を延長してもよい。そのため、通信タイミング制御装置３０は、通信時間を延期するように通信時間を更新し、延期した通信時間をＭ２Ｍデバイス８０へ通知するために、通信許可時間通知メッセージをＭ２Ｍデバイス８０へ送信してもよい。
【０１２３】
Ｍ２Ｍデバイス８０は、更新された通信時間に基づいて、通信タイマを停止もしくは通信タイマの起動時間を延期する。Ｍ２Ｍデバイス８０は、通信タイマの停止とともに、３Ｇコアネットワーク４２から離脱する処理を実行し、Ｄｅｔａｃｈ状態となる。
【０１２４】
Ｍ２Ｍデバイス９０は、Ｍ２Ｍデバイス８０から通知された通信タイミングに基づいて、３Ｇコアネットワーク４２へ接続をし、Ａｔｔａｃｈ状態となる。
【０１２５】
以上説明したように、図１０における処理を実行することにより、非Ａｔｔａｃｈ状態のＭ２Ｍデバイスは、Ａｔｔａｃｈ状態のＭ２Ｍデバイスを介して通信タイミングを取得することが出来る。そのため、Ｍ２Ｍデバイス９０が起動した際に、図６と比較して３Ｇコアネットワーク４２内の通信量を削減することが出来る。
【０１２６】
さらに、非Ａｔｔａｃｈ状態であっても通信タイミングの調整を依頼することができるため、自分自身に不要と判断した通信時間を非同時通信グループ内の他のＭ２Ｍデバイスに提供できる。またさらに、緊急時には、割り当てられた通信タイミング（Ａｔｔａｃｈのタイミング）を待たなくても、依頼により早期にＡｔｔａｃｈタイミングを得ることが可能となる。
【０１２７】
（実施の形態７）
続いて、図１１を用いて本発明の実施の形態７にかかる通信タイミングの通知処理の流れについて説明する。ここで、ステップＳ１２１〜Ｓ１３１は、図８のステップＳ７１〜Ｓ８１と同様であるため詳細な説明を省略する。
【０１２８】
Ｍ２Ｍデバイス９０は、非同時通信グループ内の代表Ｍ２Ｍデバイスとなり、ステップＳ１３１において参加受付タイマを終了する。ここで、Ｍ２Ｍデバイス９０は、参加受付タイマ起動中に起動したＭ２Ｍデバイス８０と、自装置であるＭ２Ｍデバイス９０の通信タイミングを算出する（Ｓ１３２）。
【０１２９】
次に、Ｍ２Ｍデバイス９０は、Ｍ２Ｍデバイス８０へ通信タイミング通知メッセージを送信する（Ｓ１３３）。Ｍ２Ｍデバイス９０は、ステップＳ１３２において算出したＭ２Ｍデバイス８０の通信タイミングをＭ２Ｍデバイス８０へ通知するために、Ｍ２Ｍデバイス８０へ通信タイミング通知メッセージを送信する。
【０１３０】
Ｍ２Ｍデバイス９０は、算出した通信タイミングに基づいて３Ｇコアネットワーク４２へ接続する。さらに、Ｍ２Ｍデバイス８０は、Ｍ２Ｍデバイス９０から通知された通信タイミングに基づいて３Ｇコアネットワーク４２へ接続する。
【０１３１】
なお、３ＧコアネットワークのＨＳＳ７０及び接続制御装置２０等が管理する加入者情報および非同時通信グループ情報に従った通信タイミングの算出を行うために、Ｍ２Ｍデバイス間は加入者識別子（加入者情報）および非同時通信グループ情報を送受信しあってもよい。また、３Ｇコア契約に関する加入者識別子や非同時通信グループ情報ではなく、予め３Ｇコア契約に関する加入者識別子や非同時通信グループ情報に紐づけられたサービス用のサービス用端末識別やサービス用グループ情報を送受信してもよい。
【０１３２】
また、Ｍ２Ｍデバイス間の通信タイミングの調整は、図１１のように代表者を選出する方法以外の代表者を選出しない方法で行っても良い。例えば、Ａｔｔａｃｈタイミングおよび通信時間を時分割でスロット化し、取得したいスロットを早い者勝ちやランダムで取り合う方法などを用いてもよい。この場合、お互いに取得スロット情報を送受信しあうなどして、Ａｔｔａｃｈ状態が重複しないように自律的な制御を行う。
【０１３３】
以上説明したように、図１１における通信タイミングの通知処理の流れを用いることによって、Ｍ２Ｍデバイスが非同時通信グループに属する複数のＭ２Ｍデバイスの通信タイミングを算出することが出来る。これによって、Ｍ２Ｍデバイスは、通信タイミングを取得するために、３Ｇコアネットワーク４２へメッセージを送信することがなくなる。そのため、３Ｇコアネットワーク４２内の通信量を削減することが出来る。
【０１３４】
さらに、通信タイミング制御装置３０を用いなくてもそれぞれのＭ２Ｍデバイスの通信タイミングを制御することが出来るため、通信システムを構築するためのコストを低減させることが出来る。
【０１３５】
さらに、通信タイミング制御装置３０を用いなくてもそれぞれのＭ２Ｍデバイスの通信タイミングを制御することが出来るため、通信タイミング制御装置３０における障害を考慮する必要がなくなる。そのため、通信システム全体の耐障害性を向上させることが出来る。
【０１３６】
（実施の形態８）
続いて、図１２を用いて本発明の実施の形態８にかかる通信タイミングの通知処理の流れについて説明する。ここで、ステップＳ１４１及びＳ１４２は、図１０のステップＳ１１１及びＳ１１２と同様であるため詳細な説明を省略する。
【０１３７】
Ｍ２Ｍデバイス８０は、ステップＳ１４２において、Ｍ２Ｍデバイス９０から送信された調整要求メッセージを受信すると、Ｍ２Ｍデバイス９０の通信タイミングを算出する（Ｓ１４３）。また、Ｍ２Ｍデバイス８０は、Ｍ２Ｍデバイス９０の通信タイミングを算出するとともに、自装置の通信時間を短縮するかもしくは延期するか等についても再計算を行ってもよい。次に、Ｍ２Ｍデバイス８０は、算出したＭ２Ｍデバイス９０の通信タイミングをＭ２Ｍデバイス９０へ通知するために、調整結果通知メッセージをＭ２Ｍデバイス９０へ送信する（Ｓ１４４）。
【０１３８】
あるいは、代表者を選出せずに、相互に通信タイミングを取り合う調整方法の場合、図１２のＳ１４２は、Ｍ２Ｍデバイス９０が獲得予定した通信タイミングの通知でも良い。この場合、Ｍ２Ｍデバイス８０は、通知されたタイミングをＭ２Ｍデバイス９０が獲得することに了解する応答、あるいは再調整を依頼する応答、またはすでに自分が獲得済みであることを通知する応答などを送信する。
【０１３９】
なお、いずれの通信タイミングの調整方法であっても、Ｍ２Ｍデバイス間の調整に関するメッセージの送受信は複数回行われてもよい。
【０１４０】
以上説明したように、Ａｔｔａｃｈ応対のＭ２Ｍデバイス８０が、非Ａｔｔａｃｈ状態のＭ２Ｍデバイス９０から通信タイミングを取得することを目的とした調整要求メッセージを受信した際に、通信タイミング制御装置３０から通信タイミングを取得するのではなく、自装置においてＭ２Ｍデバイス９０の通信タイミングを算出することが出来る。そのため、Ｍ２Ｍデバイスは、通信タイミングを取得するために、３Ｇコアネットワーク４２へメッセージを送信することがなくなる。これによって、３Ｇコアネットワーク４２内の通信量を削減することが出来る。
【０１４１】
さらに、通信タイミング制御装置３０を用いなくてもそれぞれのＭ２Ｍデバイスの通信タイミングを制御することが出来るため、通信システムを構築するためのコストを低減させることが出来る。
【０１４２】
さらに、通信タイミング制御装置３０を用いなくてもそれぞれのＭ２Ｍデバイスの通信タイミングを制御することが出来るため、通信タイミング制御装置３０における障害を考慮する必要がなくなる。そのため、通信システム全体の耐障害性を向上させることが出来る。
【０１４３】
上述の実施の形態では、本発明をハードウェアの構成として説明したが、本発明は、これに限定されるものではない。本発明は、接続制御装置及び通信タイミング制御装置の処理を、ＣＰＵ（Central Processing Unit）にコンピュータプログラムを実行させることにより実現することも可能である。
【０１４４】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１４５】
なお、本発明は上記実施の形態に限られたものではなく、趣旨を逸脱しない範囲で適宜変更することが可能である。
【０１４６】
以上、実施の形態を参照して本願発明を説明したが、本願発明は上記によって限定されるものではない。本願発明の構成や詳細には、発明のスコープ内で当業者が理解し得る様々な変更をすることができる。
【０１４７】
この出願は、２０１３年５月１５日に出願された日本出願特願２０１３−１０３２１８を基礎とする優先権を主張し、その開示の全てをここに取り込む。
【符号の説明】
【０１４８】
１０  通信装置
２０  接続制御装置
２１  制御部
２２  通信部
３０  通信タイミング制御装置
３１  タイマ管理部
３２  タイミング制御部
３３  通信部
４０  ネットワーク
４２  ３Ｇコアネットワーク
５０  ｅＮｏｄｅＢ
６０  ＭＭＥ
７０  ＨＳＳ
８０  Ｍ２Ｍデバイス
９０  Ｍ２Ｍデバイス
【図１】
2014184835.tif 000003
【図２】
2014184835.tif 000004
【図３】
2014184835.tif 000005
【図４】
2014184835.tif 000006
【図５】
2014184835.tif 000007
【図６】
2014184835.tif 000008
【図７】
2014184835.tif 000009
【図８】
2014184835.tif 000010
【図９】
2014184835.tif 000011
【図１０】
2014184835.tif 000012
【図１１】
2014184835.tif 000013
【図１２】
2014184835.tif 000014
【手続補正書】
【提出日】平成27年10月14日(2015.10.14)
【手続補正１】
【補正対象書類名】特許請求の範囲
【補正対象項目名】請求項３０
【補正方法】変更
【補正の内容】
【請求項３０】
同時通信が制限される複数の通信装置によるネットワークへの接続状況を監視する接続制御装置において、同時通信が制限される複数の通信装置に含まれる第１の通信装置から、ネットワークへの接続を要求する接続要求メッセージを受信した際に、前記接続要求メッセージが一時通信を要求するメッセージに該当するとして、前記第１の通信装置が前記ネットワークへ一時的に接続することを許可された場合、
前記第１の通信装置が前記ネットワークへ一時的に接続を許可されている間に、前記第１の通信装置へ通信可能タイミングを示す通信可能タイミング通知メッセージを送信するステップをコンピュータに実行させるプログラム。
【手続補正２】
【補正対象書類名】特許請求の範囲
【補正対象項目名】請求項３１
【補正方法】変更
【補正の内容】
【請求項３１】
同時通信が制限される複数の通信装置に含まれる第１の通信装置から、ネットワークへの接続を要求する接続要求メッセージを受信するステップと、
前記接続要求メッセージが、通信タイミング制御装置から通信可能タイミングを示す通信可能タイミング通知メッセージを受信するための一時通信を要求するメッセージに該当する場合、前記第１の通信装置が前記ネットワークへ一時的に接続することを許可するステップと、をコンピュータに実行させるプログラム。
【国際調査報告】
2014184835.tif 000015
2014184835.tif 000016
2014184835.tif 000017